(57)【特許請求の範囲】
【請求項１】
印刷を行おうとする爪に対応する指が印刷指として挿入される印刷指挿入部と、
前記印刷指挿入部の下方側に設けられ、印刷を行なわない指が非印刷指として挿入される非印刷指挿入部と、
前記印刷指挿入部と前記非印刷指挿入部との間に設けられ、且つ、前記印刷指挿入部に挿入された前記印刷指と前記非印刷指挿入部に挿入された前記非印刷指とで挟持可能な掴み部と、
前記印刷指挿入部に挿入された前記印刷指の爪にインクを塗布する印刷ヘッドを有する印刷部と、を備え、
前記掴み部は、
前記印刷指挿入部に前記印刷指を有する左右の手が第１の方向に沿って同時に挿入された状態で、前記左右の手の一方の第１の手の前記印刷指と前記非印刷指とで挟持可能な第１の指位置決め部と、
前記左右の手の他方の第２の手の前記印刷指と前記非印刷指とで挟持可能な第２の指位置決め部と、を備え、
前記第１の指位置決め部の前記印刷指と前記非印刷指とで挟持される側の端部は、前記第２の指位置決め部の前記印刷指と前記非印刷指とで挟持される側の端部に対し、前記第１の方向に沿って、前記手が挿入される方向の手前側にずれた位置に設けられていることを特徴とするネイルプリント装置。
【請求項２】
前記第１の指位置決め部は、前記掴み部の前記第１の方向に直交する第２の方向に沿った幅方向の中央部に位置し、この第１の指位置決め部の前記幅方向に沿った左右両側に前記第２の指位置決め部が配置されていることを特徴とする請求項１に記載のネイルプリント装置。
【請求項３】
前記第１の指位置決め部は、前記印刷指挿入部に挿入された前記第１の手の人差し指から小指までの４つの指と、前記非印刷指挿入部に挿入された前記第１の手の他の指とに挟持可能に設けられ、前記第１の方向に直交する第２の方向に沿った幅方向の寸法が、前記印刷指挿入部に挿入される前記第１の手の人差し指から小指までの４つの指の左右幅の寸法よりも短い寸法に形成されていることを特徴とする請求項１又は請求項２に記載のネイルプリント装置。
【請求項４】
前記第２の指位置決め部は、前記印刷指挿入部に挿入された前記第２の手の親指と、前記非印刷指挿入部に挿入された前記第２の手の他の指とに挟持可能に設けられ、前記印刷指挿入部に挿入される前記第２の手の親指の付け根に沿うように平面視湾曲形状に形成されていることを特徴とする請求項１から請求項３のいずれか一項に記載のネイルプリント装置。
【請求項５】
前記掴み部は、前記第１の方向に直交する第２の方向に沿った幅方向の両端部に前記第２の指位置決め部を有する掴み部本体と、この掴み部本体の幅方向の中央部に設けられ、当該掴み部本体から、前記第１の方向に沿って、前記印刷指挿入部へ前記手が挿入される方向の手前側に引き出し可能に設けられた引き出し板と、を備え、
前記引き出し板は、前記掴み部本体から引き出された状態において前記第１の指位置決め部を構成することを特徴とする請求項１から請求項４のいずれか一項に記載のネイルプリント装置。
【請求項６】
前記掴み部は、前記第１の方向に直交する第２の方向に沿った幅方向の両端部に前記第２の指位置決め部を有する掴み部本体と、この掴み部本体の幅方向の中央部の端部に、当該掴み部本体の前記印刷指挿入部へ前記手が挿入される方向の手前側に延出する延出状態から前記掴み部本体と重なり合う重畳状態まで回動可能に構成された回動板と、を備え、
前記回動板は、前記延出状態において前記第１の指位置決め部を構成することを特徴とする請求項１から請求項４のいずれか一項に記載のネイルプリント装置。
【請求項７】
前記印刷部による印刷開始指示を入力する印刷開始指示手段と、
この印刷開始指示手段から印刷開始指示が入力されてから、予め定められている時間経過後に印刷処理を開始するように前記印刷手段を制御する印刷制御手段と、を備えていることを特徴とする請求項１から請求項６のいずれか一項に記載のネイルプリント装置。
【発明の詳細な説明】
【技術分野】
【０００１】
本発明は、ネイルプリント装置に関するものである。
【背景技術】
【０００２】
ネイルプリント装置は、印刷しようとする爪の指を、装置本体に設けた指載置台に位置決めし、この位置決めした指の爪に画像を印刷するプリント装置である。
従来ネイルプリント装置は、指を１本ずつ装置内にセットして印刷するものが多かったが、近時、指の固定法や指の種類を識別する技術の向上等により複数本の指を一時に印刷することが可能なネイルプリント装置が開発されるに至っている（例えば、特許文献１参照）。
このように複数の指の爪に対応して印刷できるようにするためには、印刷対象となる全ての指の爪が印刷手段の印刷可能範囲に含まれるように印刷手段を設ける必要がある。
【先行技術文献】
【特許文献】
【０００３】
【特許文献１】特表２００３−５３４０８３号公報
【発明の概要】
【発明が解決しようとする課題】
【０００４】
しかしながら、人の指は長さに違いがあり、特に親指とその他の４本の指（人差し指から小指）とでは、爪の位置が指の長さ方向に大きくずれている。
このため、印刷対象となる全ての指の爪に対応して印刷可能とするためには、印刷手段の印刷可能範囲を広くしなければならず、印刷手段の大型化、ひいてはネイルプリント装置全体の大型化、重量化、高コスト化を招くという問題があった。
【０００５】
本発明は以上のような事情に鑑みてなされたものであり、装置の小型化、軽量化を実現しつつ、長さの異なる複数の指でも互いに各爪を揃えて印刷を行うことのできるネイルプリント装置を提供することを目的とするものである。
【課題を解決するための手段】
【０００６】
前記課題を解決するために、請求項１に記載のネイルプリント装置は、
印刷を行おうとする爪に対応する指が印刷指として挿入される印刷指挿入部と、
前記印刷指挿入部の下方側に設けられ、印刷を行なわない指が非印刷指として挿入される非印刷指挿入部と、
前記印刷指挿入部と前記非印刷指挿入部との間に設けられ、且つ、前記印刷指挿入部に挿入された前記印刷指と前記非印刷指挿入部に挿入された前記非印刷指とで挟持可能な掴み部と、
前記印刷指挿入部に挿入された前記印刷指の爪にインクを塗布する印刷ヘッドを有する印刷部と、を備え、
前記掴み部は、
前記印刷指挿入部に前記印刷指を有する左右の手が第１の方向に沿って同時に挿入された状態で、前記左右の手の一方の第１の手の前記印刷指と前記非印刷指とで挟持可能な第１の指位置決め部と、
前記左右の手の他方の第２の手の前記印刷指と前記非印刷指とで挟持可能な第２の指位置決め部と、を備え、
前記第１の指位置決め部の前記印刷指と前記非印刷指とで挟持される側の端部は、前記第２の指位置決め部の前記印刷指と前記非印刷指とで挟持される側の端部に対し、前記第１の方向に沿って、前記手が挿入される方向の手前側にずれた位置に設けられていることを特徴としている。
【０００７】
また、請求項２に記載の発明は、請求項１に記載のネイルプリント装置において、
前記第１の指位置決め部は、前記掴み部の前記第１の方向に直交する第２の方向に沿った幅方向の中央部に位置し、この第１の指位置決め部の前記幅方向に沿った左右両側に前記第２の指位置決め部が配置されていることを特徴としている。
【０００８】
また、請求項３に記載の発明は、請求項１又は請求項２に記載のネイルプリント装置において、
前記第１の指位置決め部は、前記印刷指挿入部に挿入された前記第１の手の人差し指から小指までの４つの指と、前記非印刷指挿入部に挿入された前記第１の手の他の指とに挟持可能に設けられ、前記第１の方向に直交する第２の方向に沿った幅方向の寸法が、前記印刷指挿入部に挿入される前記第１の手の人差し指から小指までの４つの指の左右幅の寸法よりも短い寸法に形成されていることを特徴としている。
【０００９】
また、請求項４に記載の発明は、請求項１から請求項３のいずれか一項に記載のネイルプリント装置において、
前記第２の指位置決め部は、前記印刷指挿入部に挿入された前記第２の手の親指と、前記非印刷指挿入部に挿入された前記第２の手の他の指とに挟持可能に設けられ、前記印刷指挿入部に挿入される前記第２の手の親指の付け根に沿うように平面視湾曲形状に形成されていることを特徴としている。
【００１０】
また、請求項５に記載の発明は、請求項１から請求項４のいずれか一項に記載のネイルプリント装置において、
前記掴み部は、前記第１の方向に直交する第２の方向に沿った幅方向の両端部に前記第２の指位置決め部を有する掴み部本体と、この掴み部本体の幅方向の中央部に設けられ、当該掴み部本体から、前記第１の方向に沿って、前記印刷指挿入部へ前記手が挿入される方向の手前側に引き出し可能に設けられた引き出し板と、を備え、
前記引き出し板は、前記掴み部本体から引き出された状態において前記第１の指位置決め部を構成することを特徴としている。
【００１１】
また、請求項６に記載の発明は、請求項１から請求項４のいずれか一項に記載のネイルプリント装置において、
前記掴み部は、前記第１の方向に直交する第２の方向に沿った幅方向の両端部に前記第２の指位置決め部を有する掴み部本体と、この掴み部本体の幅方向の中央部の端部に、当該掴み部本体の前記印刷指挿入部へ前記手が挿入される方向の手前側に延出する延出状態から前記掴み部本体と重なり合う重畳状態まで回動可能に構成された回動板と、を備え、
前記回動板は、前記延出状態において前記第１の指位置決め部を構成することを特徴としている。
【００１２】
また、請求項７に記載の発明は、請求項１から請求項６のいずれか一項に記載のネイルプリント装置において、
前記印刷部による印刷開始指示を入力する印刷開始指示手段と、
この印刷開始指示手段から印刷開始指示が入力されてから、予め定められている時間経過後に印刷処理を開始するように前記印刷手段を制御する印刷制御手段と、を備えていることを特徴としている。
【発明の効果】
【００１３】
本発明によれば、親指の位置決めをする第２の指位置決め部を、その他の４本の指（人差し指から小指）の位置決めをする第１の指位置決め部との端部の位置よりも印刷指の挿入方向奥側にずらして配置しているため、爪の位置が指の長さ方向に大きくずれている親指とその他の４本の指との指の長さ方向における爪の位置をそろえることができる。
このため、親指の爪とその他の４本の指の爪とを１つの装置で印刷する場合にも、印刷可能範囲を広くする必要がなく、印刷手段の小型化、軽量化、ひいてはネイルプリント装置全体の小型化、軽量化、低コスト化を実現することができるとの効果を奏する。
【図面の簡単な説明】
【００１４】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】第１の実施形態の掴み部の平面図であり、（ａ）は、第１の指位置決め部により左手の人差し指から小指を位置決めし第２の指位置決め部により右手の親指を位置決めした状態を示した図であり、（ｂ）は、第１の指位置決め部により右手の人差し指から小指を位置決めし第２の指位置決め部により左手の親指を位置決めした状態を示した図である。
【図４】図１のネイルプリント装置の要部である印刷指固定手段を示した断面図で、印刷指として人差し指から小指を印刷指挿入部に挿入した際の固定態様を示している。
【図５】図１のネイルプリント装置の印刷指挿入部に印刷指として左手の人差し指から小指と右手の親指とを挿入した状態を示した斜視図である。
【図６】図１のネイルプリント装置の正面側の断面図である。
【図７】図１のネイルプリント装置の側断面図である。
【図８】本実施形態に係るネイルプリント装置の制御構成を示した要部ブロック図である。
【図９】図３の掴み部の一変形例の平面図であり、（ａ）は、第１の指位置決め部により左手の人差し指から小指を位置決めし第２の指位置決め部により右手の親指を位置決めした状態を示した図であり、（ｂ）は、第１の指位置決め部により右手の人差し指から小指を位置決めし第２の指位置決め部により左手の親指を位置決めした状態を示した図である。
【図１０】図３の掴み部の一変形例の平面図であり、（ａ）は、第１の指位置決め部により左手の人差し指から小指を位置決めし第２の指位置決め部により右手の親指を位置決めした状態を示した図であり、（ｂ）は、第１の指位置決め部により右手の人差し指から小指を位置決めし第２の指位置決め部により左手の親指を位置決めした状態を示した図である。
【図１１】第２の実施形態の掴み部の平面図であり、（ａ）は、第１の指位置決め部により左手の人差し指から小指を位置決めし第２の指位置決め部により右手の親指を位置決めした状態を示した図であり、（ｂ）は、第１の指位置決め部により右手の人差し指から小指を位置決めし第２の指位置決め部により左手の親指を位置決めした状態を示した図である。
【図１２】（ａ）は、第３の実施形態の掴み部の断面図であり、（ｂ）は、（ａ）の掴み部を上から見た平面図である。
【図１３】（ａ）は、図１２の掴み部から引き出し板を引き出した状態を示す断面図であり、（ｂ）は、（ａ）の掴み部を上から見た平面図である。
【図１４】（ａ）は、第４の実施形態の掴み部の断面図であり、（ｂ）は、（ａ）の掴み部を上から見た平面図である。
【図１５】（ａ）は、図１４の掴み部から引き出し板を引き出した状態を示す断面図であり、（ｂ）は、（ａ）の掴み部を上から見た平面図である。
【発明を実施するための形態】
【００１５】
［第１の実施の形態］
先ず、図１から図９を参照しつつ、本発明に係るネイルプリント装置の第１の実施形態について説明する。
【００１６】
図１は、本実施形態におけるネイルプリント装置の外観を示す斜視図であり、図２は、ネイルプリント装置の内部構成を示す斜視図である。
図１に示すように、このネイルプリント装置１は、ケース本体２及び蓋体４を備えている。このケース本体２及び蓋体４は、ケース本体２の上面後端部に設けたヒンジ３を介して、互いに連結されている。
【００１７】
上記ケース本体２は平面視で長円状に形成されている。このケース本体２には前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。
また、ケース本体２の天板２ｆの中央部には後述する操作部１２が設置されている。
なお、ケース本体２及び蓋体４の形状、構成はここに例示したものに限定されない。
【００１８】
また、ケース本体２にはネイルプリント装置１の装置本体１０が収容されている。この装置本体１０は、図２に示す印刷指固定手段を構成している印刷指固定部２０、撮影手段を構成している撮影部３０、印刷手段を構成している印刷部４０及び制御手段を構成している制御手段５０（図８参照）を備えている。これら印刷指固定部２０、撮影部３０、印刷部４０及び制御装置５０は機枠１１に設けられている。
なお、機枠１１は下部機枠１１ａ及び上部機枠１１ｂによって構成されている。そして、下部機枠１１ａは箱状に形成され、ケース本体２の内部下方に設置され、上部機枠１１ｂは下部機枠１１ａの上方で且つケース本体２の内部上方に設置されている。
【００１９】
印刷指固定部２０は、機枠１１の中の下部機枠１１ａに設けられている。この下部機枠１１ａに設けられた印刷指挿入部２０ａ、非印刷指挿入部２０ｂ及び掴み部２０ｃによって印刷指固定部２０が構成されている。
ここで、印刷指挿入部２０ａは、印刷しようとする爪Ｔに対応する指（以下「印刷指」という。）Ｕ１を挿入するめための指挿入部である（図４参照）。
また、非印刷指挿入部２０ｂは、印刷指以外の指（以下「非印刷指」という。）Ｕ２を挿入するための指挿入部である（図４参照）。
また、掴み部２０ｃは、印刷指挿入部２０ａに挿入された印刷指Ｕ１と、非印刷指挿入部２０ｂに挿入された非印刷指Ｕ２とで挟持することが可能な部分である。本実施形態において、この掴み部２０ｃは印刷指挿入部２０ａと非印刷指挿入部２０ｂとを仕切る隔壁２１によって構成されている。
【００２０】
この掴み部２０ｃの上面は平坦な印刷指載置面を構成している。この掴み部２０ｃの指挿入側端部には膨出部２２が形成されている。この膨出部２２は、印刷指挿入部２０ａ及び非印刷指挿入部２０ｂに印刷指Ｕ１及び非印刷指Ｕ２を深く挿入した際に、印刷指Ｕ１及び非印刷指Ｕ２の付け根Ｕ３が当接する部分に形成されている。膨出部２２は、印刷指Ｕ１の腹全体が印刷指載置面に当接した状態で、印刷指Ｕ１と非印刷指Ｕ２とで掴み部２０ｃを強く挟持することができるように、指挿入方向の断面が、掴み部２０ｃの下面から下方に向けて膨出するように円形となっている。なお、膨出部２２の形状は、断面円形に限定されることなく、断面楕円形，多角形等の非円形であってもよい。
【００２１】
図１及び図２等に示すように、本実施形態において、掴み部２０ｃの幅方向の中央部には、印刷指挿入部２０ａに挿入された印刷指Ｕ１である人差し指から小指までの４つの指と非印刷指挿入部２０ｂに挿入された非印刷指Ｕ２であるその他の指（すなわち、親指）との付け根Ｕ３を端部に突き当てることによって、人差し指から小指までの４つの指の位置決めを行うことが可能な第１の指位置決め部２０１が配置されている。
本実施形態において、第１の指位置決め部２０１の幅方向Ｘの長さ寸法は、印刷指挿入部２０ａに挿入される人差し指から小指までの４つの指の左右幅の寸法とほぼ同じか、これよりも多少大きい寸法となっている。
【００２２】
また、掴み部２０ｃには、第１の指位置決め部２０１の左右両側に、印刷指挿入部２０ａに挿入された印刷指Ｕ１である親指と非印刷指挿入部２０ｂに挿入された非印刷指Ｕ２であるその他の指（すなわち、人差し指から小指までの４つの指）との付け根Ｕ３を端部に突き当てることによって、印刷指挿入部２０ａに挿入された親指の位置決めを行うことが可能な第２の指位置決め部２０２が配置されている。
なお、本実施形態において、第１の指位置決め部２０１とこの左右に配置された第２の指位置決め部２０２とを合わせた幅方向Ｘの長さ寸法は、２００ｍｍ程度となっている。
【００２３】
第２の指位置決め部２０２は、第１の指位置決め部２０１の端部よりもその端部が印刷指の挿入方向Ｙの奥側にずれた位置に配置されている。第２の指位置決め部２０２の端部を第１の指位置決め部２０１の端部に対してどの程度ずらすかは特に限定されないが、親指の爪Ｔｂと他の４本の指の各爪Ｔａの位置がほぼ横方向に並ぶ程度となることが好ましい。
この点、人間の手は親指が他の４本の指に比べて短く、掴み方や個人差はあるものの、親指と他の４本の指とでは、その長さに４０〜７５ｍｍの差がある。そこで、このような指の長さの差を考慮して、第２の指位置決め部２０２の端部は第１の指位置決め部２０１の端部よりも４０〜７５ｍｍ程度、印刷指Ｕ１の挿入方向Ｙの奥側にずれていることが好ましい。
【００２４】
図３（ａ）は、掴み部２０ｃの第１の指位置決め部２０１に左手の４つの指（人差し指、中指、薬指、小指）を位置決めし、この第１の指位置決め部２０１の右側に配置された第２の指位置決め部２０２に右手の親指を位置決めした状態を示した図である。また、図３（ｂ）は、掴み部２０ｃの第１の指位置決め部２０１に右手の４つの指（人差し指、中指、薬指、小指）を位置決めし、この第１の指位置決め部２０１の左側に配置された第２の指位置決め部２０２に左手の親指を位置決めした状態を示した図である。
本実施形態では、図３（ａ）及び図３（ｂ）に示すように、第２の指位置決め部２０２の端部が４５ｍｍ程度、第１の指位置決め部２０１の端部よりも印刷指Ｕ１の挿入方向Ｙの奥側にずれている場合を例示している。
【００２５】
なお、図３（ａ）及び図３（ｂ）において、二点鎖線は、従来のように、４つの指（人差し指、中指、薬指、小指）を位置決めする部分の端部と親指を位置決めする部分の端部とが印刷指Ｕ１の挿入方向Ｙにずれていない場合の第２の指位置決め部２０２に相当する部分の形状と、これに親指を位置決めしたときの親指の位置を示している。
図３（ａ）及び図３（ｂ）に示すように、４つの指を位置決めする部分の端部と親指を位置決めする部分の端部とが印刷指Ｕ１の挿入方向Ｙにずれていない場合には、親指の爪Ｔｂの位置と他の４本の指の各爪Ｔａの位置とが印刷指Ｕ１の挿入方向Ｙに大きくずれてしまい、後述する撮影部３０による撮影が可能な撮影可能領域及び、印刷部４０による印刷が可能な印刷可能領域を親指の爪Ｔｂと他の４本の指の爪Ｔａ全てを含む領域まで拡大する必要がある。
この点、本実施形態のように親指を位置決めする第２の指位置決め部２０２の端部を４５ｍｍ程度、第１の指位置決め部２０１の端部よりも印刷指の挿入方向Ｙの奥側にずらした場合には、親指Ｔｂ及び他の４本の指の各Ｔａの印刷指の挿入方向Ｙにおける位置がほぼ揃うため、撮影部３０の撮影可能領域及び印刷部４０の印刷可能領域を狭くすることができる。
【００２６】
図４は、左手の親指以外の４本の指（人差し指、中指、薬指及び小指）が印刷指Ｕ１となる場合における印刷指Ｕ１の固定態様の一例を具体的に示したものである。
この場合、図４に示すように、ユーザが印刷指挿入部２０ａに挿入された印刷指Ｕ１と、非印刷指挿入部２０ｂに挿入された非印刷指Ｕ２とで掴み部２０ｃを挟持することにより、印刷指Ｕ１が掴み部２０ｃの上で固定される。
【００２７】
図５は、印刷時の印刷指Ｕ１の挿入態様の一例を示したものである。
本実施形態のネイルプリント装置１では、左右一方の手の親指以外の４本の指（人差し指、中指、薬指及び小指）と他方の手の親指とが印刷指Ｕ１となる。
【００２８】
図５には、左手の親指以外の４本の指と右手の親指が印刷指Ｕ１となる場合の態様が示されている。この場合、左手は親指以外の４本の指（印刷指Ｕ１）が平面的に並んだ状態で印刷指挿入部２０ａに挿入され掴み分２０ｃの第１の指位置決め部２０１により位置決めされる。また、左手の親指（非印刷指Ｕ２）は非印刷指挿入部２０ｂに挿入される。そして、印刷指Ｕ１と非印刷指Ｕ２とで掴み部２０ｃを挟持することで印刷指Ｕ１である４本の指が固定される（図４参照）。他方、右手は親指（印刷指Ｕ１）が印刷指挿入部２０ａに挿入され掴み分２０ｃの第２の指位置決め部２０２により位置決めされる。また、左手の親指以外の４本の指（非印刷指Ｕ２）は非印刷指挿入部２０ｂに挿入される。そして、印刷指Ｕ１と非印刷指Ｕ２とで掴み部２０ｃを挟持することで印刷指Ｕ１である親指が固定される。
【００２９】
また、図６は、本実施形態に係るネイルプリント装置１の正面側の断面図であり、図７は、ネイルプリント装置１の側断面図である。
図６及び図７に示すように、撮影部３０は、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。撮影部３０は、このカメラ３２及び照明灯３３を備えて構成されている。
この撮影部３０は、照明灯３３によって印刷指Ｕ１を照明し、カメラ３２によってその印刷指Ｕ１を撮影し、指画像を取り込むためのものである。この撮影部３０は、後述する制御手段５０の制御部５１に接続され、該制御部５１によって制御されるようになっている。
【００３０】
また、印刷部４０は主に上部機枠１１ｂに設けられている。
すなわち、図２及び図６に示すように、上部機枠１１ｂの両側板には、２本のガイドロッド４１が平行に架設されている。このガイドロッド４１には、主キャリッジ４２が摺動自在に設置されている。また、図７に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
本実施形態において、この印刷ヘッド４６は、インクを微滴化し、被印字媒体に対し直接に吹き付けて印刷を行うインクジェット方式の印刷ヘッドである。なお、印刷ヘッド４６の記録方式はインクジェット方式に限定されない。
【００３１】
主キャリッジ４２は動力伝達手段（図示せず）を介してモータ４３に連結され、モータ４３の正逆回転によって、ガイドロッド４１に沿って左右方向に移動ように構成されている。また、副キャリッジ４５は動力伝達手段（図示せず）を介してモータ４７に連結され、モータ４７の正逆回転によって、ガイドロッド４４に沿って前後方向に移動するように構成されている。本実施形態において、印刷ヘッド４６の可動範囲がネイルプリント装置１の印刷可能範囲であり、印刷指Ｕ１に対する印刷はこの印刷可能範囲内において行われる。
また、下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。
【００３２】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。
この印刷部４０のモータ４３、印刷ヘッド４６、モータ４７は、後述する制御装置５０の制御部５１に接続され、該制御部５１によって制御されるようになっている。
【００３３】
本実施形態では、印刷指Ｕ１の爪Ｔ（一方の手の４つの指の爪Ｔａと、他方の手の親指の爪Ｔｂ）を撮影する上記撮影部３０と、この撮影部３０により撮影された爪領域にそれぞれ印刷を施す印刷部４０とにより印刷処理手段が構成されている。
【００３４】
操作部１２は、ユーザが各種入力を行うための入力手段である。
操作部１２には、例えば、ネイルプリント装置１の電源をＯＮする電源スイッチ釦１２１ａ、印刷の開始指示を入力する印刷開始指示スイッチ釦１２１ｂ、印刷すべきネイル画像パターンを選択するパターン選択スイッチ釦（図示せず）、その他各種の入力を行うための操作釦１２１が配置されている。
【００３５】
また、ケース本体２の天板２ｆには液晶パネル（液晶ディスプレイ（ＬＣＤ：Liquid Crystal Display））等で構成された表示部１３が設けられている。なお、この表示部１３の表面に、タッチパネルが一体的に構成されていてもよい。タッチパネルが構成されている場合には、図示しないスタイラスペン等によるタッチ操作により、表示部１３の表面をタッチすることによっても各種の入力を行うことができるように構成されていてもよい。
【００３６】
また、制御装置５０は、例えば上部機枠１１ｂに配置された基板３１等に設置されている。図８は、本実施形態における制御構成を示す要部ブロック図である。
【００３７】
制御装置５０は、図示しないＣＰＵ（Central Processing Unit）等で構成される制御部５１、ＲＯＭ（Read Only Memory）、ＲＡＭ（Random Access Memory)等（全て図示せず）で構成される記憶部５２等を備えるコンピュータであり、ＲＯＭ等には印刷すべきネイル画像パターン等のデータや印刷プログラム等の各種プログラムが格納され、制御部５１はこのプログラムを実行して各部を制御するようになっている。
【００３８】
特に本実施形態においては、制御部５１は印刷開始指示が入力されてから所定時間経過後に印刷処理を開始するように印刷部４０等を制御する印刷制御手段として機能する。
具体的には、制御部５１は、印刷開始指示手段である印刷開始指示スイッチ釦１２１ｂから印刷開始指示が入力されたときは、印刷開始指示スイッチ釦１２１ｂから指示が入力されてからの時間を計時し、予め定められている時間が経過した後に印刷処理を開始するように印刷処理手段（すなわち、撮影部３０、印刷部４０）を制御するようになっている。
【００３９】
ここで印刷処理とは、印刷指Ｕ１の爪Ｔ（一方の手の４つの指の爪Ｔａと、他方の手の親指の爪Ｔｂ）に印刷を施すための処理であり、本実施形態では、撮影部３０による印刷指Ｕ１の撮影と印刷部４０による印刷である。
すなわち、印刷開始指示スイッチ釦１２１ｂが操作され印刷動作に入るときには、制御部５１は、印刷部４０による印刷を開始する前に、まず撮影部３０を制御して印刷指Ｕ１の撮影を行わせ、印刷指Ｕ１の画像データを取得する。そして、制御部５１は、撮影部３０によって取得された印刷指Ｕ１の画像データに基づいて、印刷指挿入部２０ａに挿入されている印刷指Ｕ１の種類、当該印刷指Ｕ１の爪Ｔの位置・大きさ・範囲等を判断し、印刷部４０による印刷の位置・範囲等を決定するようになっている。
また、制御部５１は、操作部１２のパターン選択スイッチ釦により選択された画像パターンをＲＯＭ等の中から印刷すべきネイル画像パターンとして選択し、当該ネイル画像パターンのデータを印刷部４０に出力する。
そして、制御部５１により、印刷部４０による印刷の位置・範囲等が決定されるとともに、印刷すべきネイル画像パターンのデータが印刷部４０に出力されると、制御部５１は、印刷部４０を制御して印刷指Ｕ１の各爪Ｔに選択されたネイル画像パターンを印刷させる。
【００４０】
なお、印刷開始指示スイッチ釦１２１ｂから指示が入力されてから印刷処理を開始するまでの予め定められている時間とは、特に限定されないが、ユーザが印刷開始指示スイッチ釦１２１ｂを操作してから、印刷指Ｕ１を印刷指挿入部２０ａに挿入し、非印刷指Ｕ２を非印刷指挿入部２０ｂに挿入して、印刷指Ｕ１と非印刷指Ｕ２とで掴み部２０ｃを挟持するのに要する時間を考慮して、例えば１０秒程度である。
本実施形態において、制御部５１はタイマー機能を備えており、印刷開始指示スイッチ釦１２１ｂから指示が入力されてからの経過時間を計時している。そして、予め設定されている時間が経過すると、印刷処理を開始するように撮影部３０及び印刷部４０を制御する。
なお、例えば、予め定められている時間の経過が近づくと直に印刷処理が開始される旨の音声案内（例えば「あと２秒で印刷を開始します。」等）をスピーカから発音させたり、表示部１３にその旨を表示させたり、ランプを点灯させる等により、ユーザに対して印刷処理を開始するタイミングを報知するように構成してもよい。このようにした場合には、ユーザに印刷処理に対する準備や心構えができるため、より好ましい位置に印刷指Ｕ１を待機させ、より確実な指の固定を行うことができると期待できる。
【００４１】
次に、本実施形態におけるネイルプリント装置１の作用を説明する。
本実施形態のネイルプリント装置１では、印刷指挿入部２０ａに挿入した左右の手の複数の印刷指Ｕ１の爪Ｔ（一方の手の４つの指の爪Ｔａと、他方の手の親指の爪Ｔｂ）に同時に印刷が施される。ここで「同時に印刷」とは、一度に印刷指挿入部２０ａに挿入した印刷指Ｕ１を取り出すことなく印刷できることを意味している。
【００４２】
印刷を行う場合、ユーザはまず、電源スイッチ５２ａを入れて制御装置５０を起動させ、印刷指Ｕ１に印刷したいネイル画像パターン（デザイン）を選択する。選択されたネイル画像パターンは表示部１３に表示されユーザが確認できるようになっていることが好ましい。ネイル画像パターンを選択すると、ユーザは印刷開始指示スイッチ釦１２１ｂから印刷開始指示を入力し、印刷指Ｕ１を印刷指挿入部２０ａに挿入し、非印刷指Ｕ２を非印刷指挿入部２０ｂに挿入する。
【００４３】
例えば、左手の親指以外の４本の指（人差し指から小指）の爪Ｔａと右手の親指の爪Ｔｂに印刷を施す場合には、左手は親指以外の４本の指（印刷指Ｕ１）が平面的に並んだ状態で印刷指挿入部２０ａに挿入され、印刷指Ｕ１である４本の指と非印刷指Ｕ２である親指との付け根を掴み分２０ｃの第１の指位置決め部２０１の端部に突き当てることにより、４本の指（印刷指Ｕ１）が第１の指位置決め部２０１により位置決めされる。そして、４本の指（印刷指Ｕ１）と親指（非印刷指Ｕ２）とで掴み部２０ｃを挟持することで４本の指（印刷指Ｕ１）が固定される（図４参照）。他方、右手は親指（印刷指Ｕ１）が印刷指挿入部２０ａに挿入され、印刷指Ｕ１である親指と非印刷指Ｕ２である４本の指との付け根を掴み分２０ｃにおける第１の指位置決め部２０１の右側に配置された第２の指位置決め部２０２の端部に突き当てることにより、親指（印刷指Ｕ１）が第２の指位置決め部２０２により位置決めされる。
このとき、第２の指位置決め部２０２の端部が第１の指位置決め部２０１の端部よりも４５ｍｍほど印刷指Ｕ１の挿入方向Ｙの奥側にずれているため、左手の４本の指（印刷指Ｕ１）の爪Ｔａと右手の親指（印刷指Ｕ１）の爪Ｔｂとが印刷指Ｕ１の挿入方向においてほぼ横方向に並ぶ。
【００４４】
制御部５１は、印刷開始指示スイッチ釦１２１ｂから印刷開始指示が入力されてからの経過時間を計時しており、印刷開始指示が入力されてから、予め定められている時間が経過した後に印刷処理を開始するように、印刷指Ｕ１の撮影を行う撮影部３０及び印刷を行う印刷部４０を制御する。
【００４５】
右手の親指以外の４本の指（人差し指から小指）の爪Ｔａと左手の親指の爪Ｔｂに印刷を施す場合には、右手の親指以外の４本の指（印刷指Ｕ１）を印刷指挿入部２０ａに挿入して第１の指位置決め部２０１により位置決めする。また、左手の親指（印刷指Ｕ１）を印刷指挿入部２０ａに挿入して、掴み部２０ｃにおける第１の指位置決め部２０１の左側に配置された第２の指位置決め部２０２により位置決めする。その他の点は上記の場合と同様であるため、説明を省略する。
【００４６】
以上のように、本実施形態におけるネイルプリント装置１によれば、次のような効果が得られる。
すなわち、本実施形態では、第２の指位置決め部２０２の端部が第１の指位置決め部２０１の端部よりも４５ｍｍほど印刷指Ｕ１の挿入方向Ｙの奥側にずれているため、左手の４本の指（印刷指Ｕ１）の爪Ｔａと右手の親指（印刷指Ｕ１）の爪Ｔｂとが印刷指Ｕ１の挿入方向においてほぼ横方向に並ぶ。このため、撮影部３０の撮影可能範囲及び印刷部４０の印刷可能範囲がネイルプリント装置１の前後方向（印刷指の挿入方向Ｙ）に数十ｍｍ短くなり、印刷ヘッド４６の移動距離がこの分短くて済む。したがって、その分印刷部４０等の小型化、軽量化、低コスト化を図ることができ、ひいてはネイルプリント装置１全体の小型化、軽量化を図ることができる。さらに、ネイルプリント装置１の低コスト化を図ることができるとともに、装置の可搬性が向上する。
また、親指を位置決めする第２の指位置決め部２０２を４本の指を位置決めする第１の指位置決め部２０１の左右両側に設けているため、左右一方の手の４本の指の爪Ｔａと他方の手の親指の爪Ｔｂに対して同時に印刷処理を施すことができる。
そして、印刷開始指示スイッチ釦１２１ｂから印刷開始指示が入力されてから、予め定められている時間が経過した後に印刷処理が開始されるようになっているため、上記のように左右両方の手を印刷指固定部２０内に挿入して印刷を行う場合でも、印刷開始指示スイッチ釦１２１ｂを操作してから指をセットすることができ、フットスイッチ等を用いることなく簡易に両手の指の爪に対する印刷処理を行うことができる。
【００４７】
なお、本実施形態では、第２の指位置決め部２０２の端部が直線状になっている例を示したが、第２の指位置決め部２０２の端部の形状はこれに限定されない。
例えば、第２の指位置決め部２０２の端部は、印刷指挿入部２０ａに挿入される親指の付け根に沿うように平面視湾曲形状に形成されていてもよい。具体的には、例えば、図９（ａ）及び図９（ｂ）に示すように、第２の指位置決め部２０２の端部に半円状の湾曲部２０２ａが形成されていてもよいし、図１０（ａ）及び図１０（ｂ）に示すように、第２の指位置決め部２０２の端部に第１の指位置決め部２０１の側部から掴み部２０ｃの端部にかけて湾曲する円弧状部２０２ｂが形成されていてもよい。なお、湾曲形状は図示例に限定されない。
このように、第２の指位置決め部２０２の端部を湾曲形状とした場合には、第２の指位置決め部２０２の端部が印刷指挿入部２０ａに挿入される親指の付け根により自然にフィットして、親指を安定して位置決めすることができる。
【００４８】
［第２の実施の形態］
次に、図１１を参照しつつ、本発明に係るネイルプリント装置の第２の実施形態について説明する。なお、本実施形態は、ネイルプリント装置の第１の指位置決め部及び第２の指位置決め部の構成が第１の実施形態と異なるものであるため、以下においては、特に第１の実施形態と異なる点について説明する。
【００４９】
本実施形態のネイルプリント装置１は、第１の実施形態とほぼ同様の装置構成を備えている。
【００５０】
本実施形態において、掴み分２０ｃの幅方向の中央部には、印刷指挿入部２０ａに挿入された印刷指Ｕ１である人差し指から小指までの４つの指と非印刷指挿入部２０ｂに挿入された非印刷指Ｕ２であるその他の指（すなわち、親指）との付け根Ｕ３を端部に突き当てることによって、印刷指挿入部２０ａに挿入された人差し指から小指までの４つの指の位置決めを行うことが可能な第１の指位置決め部２１１が配置されている。
本実施形態において、第１の指位置決め部２１１の幅方向Ｘの長さ寸法は、印刷指挿入部２０ａに挿入される人差し指から小指までの４つの指の左右幅の寸法よりも短い寸法に形成されている。
【００５１】
すなわち、人間が４つの指（人差し指から小指）と親指とで何かを掴む際には、親指の幅＋αの幅があれば対象物をしっかりと掴むことができる。このため、本実施形態では、４つの指（人差し指から小指）の位置決めを行う第１の指位置決め部２１１の幅（図１１（ａ）及び図１１（ｂ）においてＷ１とする。）を人差し指から小指までの４つの指の左右幅の寸法（図１１（ａ）及び図１１（ｂ）においてＷ２とする。）又はこの寸法＋αよりも５０ｍｍ程度短くしている。例えば、人差し指から小指までの４つの指の左右幅の寸法Ｗ２又はこの寸法＋αが９０ｍｍである場合、第１の指位置決め部２１１の幅を４０ｍｍ程度とする。これにより、本実施形態において、第１の指位置決め部２１１とこの左右に配置された第２の指位置決め部２１２とを合わせた幅方向Ｘの長さ寸法は、１５０ｍｍ程度となっている。
【００５２】
なお、その他の構成は、第１の実施形態で示したものと同様であるため、その説明を省略する。
【００５３】
次に、本実施形態におけるネイルプリント装置の作用を説明する。
本実施形態のネイルプリント装置では、第１の実施形態と同様に、印刷指挿入部２０ａに挿入した左右の手の複数の印刷指Ｕ１の爪Ｔ（一方の手の４つの指の爪Ｔａと、他方の手の親指の爪Ｔｂ）に同時に印刷が施される。
【００５４】
印刷を行う場合、ユーザは印刷開始指示スイッチ釦１２１ｂから印刷開始指示を入力した後、印刷指Ｕ１を印刷指挿入部２０ａに挿入し、非印刷指Ｕ２を非印刷指挿入部２０ｂに挿入する。
【００５５】
例えば、左手の親指以外の４本の指（人差し指から小指）の爪Ｔａと右手の親指の爪Ｔｂに印刷を施す場合には、左手は親指以外の４本の指（印刷指Ｕ１）が平面的に並んだ状態で印刷指挿入部２０ａに挿入され、印刷指Ｕ１である４本の指と非印刷指Ｕ２である親指との付け根を掴み分２０ｃの第１の指位置決め部２１１の端部に突き当てることにより、４本の指（印刷指Ｕ１）が第１の指位置決め部２１１により位置決めされる。そして、４本の指（印刷指Ｕ１）と親指（非印刷指Ｕ２）とで掴み部２０ｃを挟持することで４本の指（印刷指Ｕ１）が固定される（図４参照）。他方、右手は親指（印刷指Ｕ１）が印刷指挿入部２０ａに挿入され、印刷指Ｕ１である親指と非印刷指Ｕ２である４本の指との付け根を掴み分２０ｃにおける第１の指位置決め部２１１の右側に配置された第２の指位置決め部２１２の端部に突き当てることにより、親指（印刷指Ｕ１）が第２の指位置決め部２１２により位置決めされる。
このとき、第２の指位置決め部２１２の端部が第１の指位置決め部２１１の端部よりも４５ｍｍほど印刷指Ｕ１の挿入方向Ｙの奥側にずれているため、左手の４本の指（印刷指Ｕ１）の爪Ｔａと右手の親指（印刷指Ｕ１）の爪Ｔｂとが印刷指Ｕ１の挿入方向においてほぼ横方向に並ぶ。
【００５６】
制御部５１は、印刷開始指示スイッチ釦１２１ｂから印刷開始指示が入力されてからの経過時間を計時しており、印刷開始指示が入力されてから、予め定められている時間が経過した後に印刷処理を開始するように、印刷指Ｕ１の撮影を行う撮影部３０及び印刷を行う印刷部４０を制御する。
【００５７】
右手の親指以外の４本の指（人差し指から小指）の爪Ｔａと左手の親指の爪Ｔｂに印刷を施す場合には、右手の親指以外の４本の指（印刷指Ｕ１）を印刷指挿入部２０ａに挿入して第１の指位置決め部２１１により位置決めする。また、左手の親指（印刷指Ｕ１）を印刷指挿入部２０ａに挿入して、掴み分２０ｃにおける第１の指位置決め部２１１の左側に配置された第２の指位置決め部２１２により位置決めする。その他の点は上記の場合と同様であるため、説明を省略する。
【００５８】
以上のように、本実施形態におけるネイルプリント装置によれば、次のような効果が得られる。
すなわち、本実施形態では、第１の実施形態と同様に、第２の指位置決め部２１２の端部が第１の指位置決め部２１１の端部よりも４５ｍｍほど印刷指Ｕ１の挿入方向Ｙの奥側にずれているため、左手の４本の指（印刷指Ｕ１）の爪Ｔａと右手の親指（印刷指Ｕ１）の爪Ｔｂとが印刷指Ｕ１の挿入方向においてほぼ横方向に並ぶ。このため、撮影部３０の撮影可能範囲及び印刷部４０の印刷可能範囲がネイルプリント装置の前後方向（印刷指の挿入方向Ｙ）に数十ｍｍ短くなり、印刷ヘッド４６の移動距離がこの分短くて済む。したがって、その分印刷部４０等の小型化、軽量化、低コスト化を図ることができ、ひいてはネイルプリント装置全体の小型化、軽量化を図ることができる。これにより、ネイルプリント装置の低コスト化を図ることができるとともに、装置の可搬性が向上する。
また、本実施形態では、第１の指位置決め部２１１の幅寸法を４つの指の幅寸法と同じかそれよりも大きく構成した場合よりも、掴み分２０ｃの幅方向（図１１（ａ）及び図１１（ｂ）におけるＸ方向）の長さ寸法が数十ｍｍ短くなる。このため、その分撮影部３０の撮影可能範囲及び印刷部４０の印刷可能範囲が狭くて済むため、印刷部４０等の小型化、軽量化、低コスト化を図ることができ、ひいては装置全体の小型化、軽量化、これによる装置の可搬性の向上を図ることができる。
その他、本実施形態においても第１の実施形態と同様の効果を得ることができる。
【００５９】
なお、本実施形態では、第２の指位置決め部２１２の端部が直線状になっている例を示したが、第２の指位置決め部２１２の端部の形状はこれに限定されず、例えば、第２の指位置決め部２１２の端部は、印刷指挿入部２０ａに挿入される親指の付け根に沿うように平面視湾曲形状に形成されていてもよいことは第１の実施形態と同様である。
【００６０】
［第３の実施の形態］
次に、図１２及び図１３を参照しつつ、本発明に係るネイルプリント装置の第３の実施形態について説明する。なお、本実施形態は、ネイルプリント装置の第１の指位置決め部及び第２の指位置決め部の構成が第１の実施形態及び第２の実施形態と異なるものであるため、以下においては、特に第１の実施形態及び第２の実施形態と異なる点について説明する。
【００６１】
本実施形態のネイルプリント装置は、第１の実施形態及び第２の実施形態とほぼ同様の装置構成を備えている。
【００６２】
図１２（ａ）及び図１３（ａ）は、第１の指位置決め部２２１及び第２の指位置決め部２２２を有する掴み部２０ｃの側断面図であり、図１２（ｂ）及び図１３（ｂ）は、図１２（ａ）及び図１３（ａ）に示す掴み部２０ｃをそれぞれ上方から見た平面図である。
本実施形態において、掴み部２０ｃは、その幅方向の両端部に第２の指位置決め部２２２を有する掴み部本体２５０と、この掴み部本体２５０の幅方向のほぼ中央部にこの掴み部本体２５０に対して印刷指挿入部２０ａへの印刷指Ｕ１の挿入方向Ｙの手前側に引き出し可能に設けられた引き出し板２６０とを備えている。
【００６３】
掴み部本体２５０内部には、引き出し板２６０を収納可能な空間である引き出し板収納部２５１が設けられている。引き出し板収納部２５１の裏面側（図１２（ａ）における下側）の端部近傍には、板係止用孔部２５２が形成されている。
また、引き出し板２６０の引き出し方向の端部近傍及び収納方向（すなわち、印刷指Ｕ１の挿入方向Ｙ）の端部近傍には、板係止用凸部２６１ａ，２６１ｂが設けられている。板係止用凸部２６１ａ，２６１ｂは、例えば板バネ等の弾性を有する部材であり、図１２（ａ）及び図１２（ｂ）に示すように、引き出し板２６０が引き出し板収納部２５１に収納された収納状態においては、引き出し板２６０の引き出し方向の端部近傍に設けられた板係止用凸部２６１ａが掴み部本体２５０の板係止用孔部２５２に係止され、引き出し板２６０が引き出し板収納部２５１中に収納された収納状態が維持されるようになっている。
また、図１３（ａ）及び図１３（ｂ）に示すように、引き出し板２６０が引き出し板収納部２５１から引き出された引き出し状態においては、引き出し板２６０の収納方向の端部近傍に設けられた板係止用凸部２６１ｂが掴み部本体２５０の板係止用孔部２５２に係止され、引き出し板２６０が引き出し板収納部２５１から抜け落ちたり、引き出し板収納部２５１内に押し戻されたりすることのないようになっている。
なお、引き出し板２６０を係止する構成はここに例示したものに限定されない。
【００６４】
引き出し板２６０は、引き出し板２６０が引き出し板収納部２５１から引き出された引き出し状態において、印刷指挿入部２０ａに挿入された左右いずれか一方の手の４つの指（人差し指から小指）を位置決めする第１の指位置決め部２２１を構成する。
本実施形態では、引き出し板２６０を引き出した状態で、印刷指挿入部２０ａに挿入された印刷指Ｕ１と非印刷指挿入部２０ｂに挿入された非印刷指Ｕ２との付け根Ｕ３を引き出し板２６０の引き出し側の端部に突き当てることにより、印刷指挿入部２０ａに挿入された人差し指から小指までの４つの指の位置決めを行うことができる。
また、他方の手の親指を掴み部本体２５０の幅方向の端部に設けられた第２の指位置決め部２２２の端部に突き当てることにより、印刷指挿入部２０ａに挿入された親指の位置決めを行うことができる。
【００６５】
なお、その他の構成は、第１の実施形態及び第２の実施形態で示したものと同様であるため、その説明を省略する。
【００６６】
次に、本実施形態におけるネイルプリント装置の作用を説明する。
印刷指Ｕ１の爪に対して印刷を行う場合には、掴み部本体２５０の板係止用孔部２５２に係止されている引き出し板２６０の板係止用凸部２６１ａを上方向に押し込みながら引き出し板２６０を引き出し板収納部２５１から手前側（印刷指Ｕ１の挿入方向Ｙと反対方向）に引き出す。引き出し板２６０を、引き出し板２６０の奥側に設けられている板係止用凸部２６１ｂが板係止用孔部２５２に係止される位置まで引き出すと、引き出し状態となる。
この引き出し状態において、印刷指挿入部２０ａに収納された左右いずれか一方の手の４つの指（人差し指から小指）を第１の指位置決め部２２１において位置決めする。そして、例えば、他方の手の親指を掴み部本体２５０の幅方向の端部に設けられた第２の指位置決め部２２２の端部に突き当てることにより、印刷指挿入部２０ａに挿入された親指の位置決めを行う。
そして、このように左右の手の印刷指Ｕ１が位置決めされた状態で印刷処理を行う。
印刷処理後、ユーザは、掴み部本体２５０の板係止用孔部２５２に係止されている引き出し板２６０の板係止用凸部２６１ｂを上方向に押し込みながら引き出し板２６０を奥側に押し込む。板係止用孔部２５２に引き出し板２６０の手前側の板係止用凸部２６１ａが係止される位置まで引き出し板２６０を押し込むと、板係止用孔部２５２に板係止用凸部２６１ａが係止されて、引き出し板２６０が固定され、引き出し板収納部２５１からの飛び出しが防止される。
【００６７】
以上のように、本実施形態におけるネイルプリント装置１によれば、次のような効果が得られる。
すなわち、本実施形態によれば、第１の実施形態及び第２の実施形態と同様の効果が得られる他に、非印刷時には、第１の指位置決め部２２１を構成する引き出し板２６０を掴み部本体２５０の引き出し板収納部２５１内に収納することができるため、掴み部本体２５０の印刷指Ｕ１の挿入方向Ｙの長さ寸法は、親指を位置決めする第２の指位置決め部２２２の長さ分で足りる。このため、ネイルプリント装置における印刷指Ｕ１の挿入方向Ｙの奥行きを短くすることができ、ネイルプリント装置全体の小型化、軽量化が可能となるとともに、更に可搬性が向上する。
【００６８】
［第４の実施の形態］
次に、図１４及び図１５を参照しつつ、本発明に係るネイルプリント装置の第４の実施形態について説明する。なお、本実施形態は、ネイルプリント装置の第１の指位置決め部及び第２の指位置決め部の構成が第１の実施形態から第３の実施形態と異なるものであるため、以下においては、特に第１の実施形態から第３の実施形態と異なる点について説明する。
【００６９】
本実施形態のネイルプリント装置は、第１の実施形態から第３の実施形態とほぼ同様の装置構成を備えている。
【００７０】
図１４（ａ）及び図１５（ａ）は、第１の指位置決め部２３１及び第２の指位置決め部２３２を有する掴み部２０ｃの側断面図であり、図１４（ｂ）及び図１５（ｂ）は、図１４（ａ）及び図１５（ａ）に示す掴み部２０ｃをそれぞれ上方から見た平面図である。
本実施形態において、掴み部２０ｃは、その幅方向の両端部に第２の指位置決め部２３２を有する掴み部本体２７０と、この掴み部本体２７０の幅方向のほぼ中央部の端部にヒンジ部２８１を介して接続されている回動板２８０とを備えている。
回動板２８０は、ヒンジ部２８１を軸として回動することにより、掴み部本体２７０における印刷指挿入部２０ａへの印刷指Ｕ１の挿入方向Ｙの手前側に延出する延出状態から掴み部本体２７０と重なり合う重畳状態まで回動可能に構成されている。
【００７１】
ヒンジ部２８１には、図示しない係止用の突起が設けられており、掴み部本体２７０には、この係止用の突起に対応する位置に突起を受ける溝部（図示せず）が設けられている。係止用の突起と溝部とは、回動板２８０が延出状態となったとき及び重畳状態となったときに嵌り合うようになっている。なお、回動板２８０側に溝部を設け、掴み部本体２７０側に係止用の突起を設けてもよい。
また、回動板２８０の回動側の端部には係止用突起２８２が設けられており、掴み部本体２７０の下側には、回動板２８０が掴み部本体２７０と重なり合う重畳状態となったときに、回動板２８０の係止用突起２８２が係止される係止用切り欠き部２７１が形成されている。回動板２８０の係止用突起２８２が係止用切り欠き部２７１に係止されることにより、回動板２８０の重畳状態が維持されるようになっている。
なお、回動板２８０を係止する構成はここに例示したものに限定されない。
【００７２】
回動板２８０は、延出状態において、印刷指挿入部２０ａに挿入された左右いずれか一方の手の４つの指（人差し指から小指）を位置決めする第１の指位置決め部２３１を構成する。
本実施形態では、回動板２８０が延出している状態で、印刷指挿入部２０ａに挿入された印刷指Ｕ１と非印刷指挿入部２０ｂに挿入された非印刷指Ｕ２との付け根Ｕ３を回動板２８０の延出側（回動側）の端部に突き当てることにより、印刷指挿入部２０ａに挿入された人差し指から小指までの４つの指の位置決めを行うことができる。
また、他方の手の親指を掴み部本体２７０の幅方向の端部に設けられた第２の指位置決め部２３２の端部に突き当てることにより、印刷指挿入部２０ａに挿入された親指の位置決めを行うことができる。
【００７３】
なお、その他の構成は、第１の実施形態から第３の実施形態で示したものと同様であるため、その説明を省略する。
【００７４】
次に、本実施形態におけるネイルプリント装置の作用を説明する。
印刷指Ｕ１の爪に対して印刷を行う場合には、掴み部本体２７０の係止用切り欠き部２７１に係止されている回動板２８０の係止用突起２８２を外し、回動板２８０を回動させて延出状態とする。このとき、回動板２８０の係止用の突起と掴み部本体２７０の溝部とが嵌り合い、回動板２８０が延出状態で固定される。
この延出状態において、印刷指挿入部２０ａに収納された左右いずれか一方の手の４つの指（人差し指から小指）を第１の指位置決め部２３１において位置決めする。そして、例えば、他方の手の親指を掴み部本体２７０の幅方向の端部に設けられた第２の指位置決め部２３２の端部に突き当てることにより、印刷指挿入部２０ａに挿入された親指の位置決めを行う。
そして、このように左右の手の印刷指Ｕ１が位置決めされた状態で印刷処理を行う。
印刷処理後、ユーザは、回動板２８０を掴み部本体２７０に重畳される重畳状態と鳴る位置まで回動させて、掴み部本体２７０の係止用切り欠き部２７１に回動板２８０の係止用突起２８２を係止する。これにより回動板２８０が固定され、装置を持ち運んだ際等のぐらつき等が防止される。
【００７５】
以上のように、本実施形態におけるネイルプリント装置によれば、次のような効果が得られる。
すなわち、本実施形態によれば、第１の実施形態及び第２の実施形態と同様の効果が得られる他に、非印刷時には、第１の指位置決め部２３１を構成する回動板２８０を掴み部本体２７０に重畳させておくことができるため、掴み部本体２７０の印刷指Ｕ１の挿入方向Ｙの長さ寸法は、親指を位置決めする第２の指位置決め部２３２の長さ分で足りる。このため、ネイルプリント装置における印刷指Ｕ１の挿入方向Ｙの奥行きを短くすることができ、ネイルプリント装置全体の小型化、軽量化が可能となるとともに、更に可搬性が向上する。
【００７６】
なお、上記各実施形態では、一方の手の４つの指の爪Ｔａと他方の手の親指の爪Ｔｂとに同時に印刷が施される場合を例として説明したが、指を１本ずつ印刷する場合や片手ずつ印刷を行う場合にも本発明の掴み部２０ｃを適用することが可能である。
指を１本ずつ印刷する場合や片手ずつ印刷を行う場合には、印刷開始指示スイッチ釦から印刷開始指示が入力されるとすぐに印刷処理が開始されるように制御する構成としてもよい。
【００７７】
その他、本発明が上記各実施形態に限定されず、適宜変更可能であることはいうまでもない。
【符号の説明】
【００７８】
１      ネイルプリント装置
２      ケース本体
４      蓋体
１２    操作部
２０ａ  印刷指挿入部
２０ｂ  非印刷指挿入部
２０ｃ  掴み部（隔壁）
２０    印刷指固定部
３０    撮影部
３２    カメラ
３３    照明灯（ＬＥＤ）
４０    印刷部
５０    制御部
１２１ａ  電源スイッチ釦
１２１ｂ  印刷開始指示スイッチ釦
２０１  第１の指位置決定部
２０２  第２の指位置決定部
Ｔ      爪
Ｕ１    印刷指
Ｕ２    非印刷指
【図１】
0005141756.tif 000002
【図２】
0005141756.tif 000003
【図３】
0005141756.tif 000004
【図４】
0005141756.tif 000005
【図５】
0005141756.tif 000006
【図６】
0005141756.tif 000007
【図７】
0005141756.tif 000008
【図８】
0005141756.tif 000009
【図９】
0005141756.tif 000010
【図１０】
0005141756.tif 000011
【図１１】
0005141756.tif 000012
【図１２】
0005141756.tif 000013
【図１３】
0005141756.tif 000014
【図１４】
0005141756.tif 000015
【図１５】
0005141756.tif 000016